(57)【要約】【課題】広い周波数帯域を有する逆Ｆ字型アンテナを実現する。【解決手段】逆Ｆ型アンテナ（５００）は、少なくとも１つのスイッチ（６０２、６０４、６０６）を介して直列に結合された少なくとも２つのアンテナ導体エレメント（５０２、５０６、５０８、５１０）を有する。装置は、逆Ｆ型アンテナ（５００）と、その少なくとも１つのスイッチを制御する手段（３０２、３０６）とを具えている。【選択図】　　　　図２
2004096341.tif 000002
【特許請求の範囲】
【請求項１】
少なくとも１つのスイッチを介して直列に結合された少なくとも２つのアンテナ導体エレメントを有する逆Ｆ型アンテナと、前記少なくとも１つのスイッチを制御する手段とを具えるアンテナ装置。
【請求項２】
少なくとも１つの共振回路を介して直列に結合される少なくとも２つのアンテナ導体エレメントを具える逆Ｆ型アンテナを含むアンテナ装置。
【請求項３】
前記共振回路が可変キャパシタを含んだＬＣ共振回路であり、
さらに、前記可変キャパシタの値を変えるための制御手段を具える、請求項２に記載の装置。
【請求項４】
前記ＬＣ共振回路がＬＣ直列共振回路である、請求項３に記載の装置。
【請求項５】
前記ＬＣ共振回路がＬＣ並列共振回路である、請求項３に記載の装置。
【請求項６】
前記逆Ｆ型アンテナに結合された給電線のインピーダンスと前記逆Ｆ型アンテナのインピーダンスを整合させるために、前記アンテナ導体エレメントと接地点との間に少なくとも１つのスイッチまたは共振回路を具える、請求項１乃至５のいずれかに記載の装置。
【請求項７】
前記逆Ｆ型アンテナがプリント板上に形成されている、請求項１乃至６のいずれかに記載の装置。
【請求項８】
請求項１乃至７のいずれかに記載の前記アンテナ装置を複数個と、
前記複数のアンテナ装置の中の１つを選択する手段と、
を具える、情報処理装置。
【請求項９】
請求項１乃至７のいずれかに記載の前記アンテナ装置を複数個具え、
前記複数のアンテナ装置が相異なる向きに取り付けられている、情報処理理装置。
【請求項１０】
請求項１乃至７のいずれかに記載の前記アンテナ装置と、ユーザによって指定される受信チャンネル情報に基づいて前記アンテナ装置を制御するチャンネル変更手段と、
を具える情報処理装置。
【発明の詳細な説明】
【０００１】
【発明の属する技術分野】
本発明は、アンテナ装置に関し、特に、逆Ｆ型アンテナを有する情報処理装置に関する。
【０００２】
【発明の背景】
現在の或るデスクトップ型パーソナル・コンピュータは、テレビジョン・チューナ・カードを含んでいる。そのチューナ・カードは、典型的には、同軸ケーブルを介して屋上の地上波放送用アンテナおよび衛星放送用アンテナ・ディッシュに接続される。
【０００３】
この数年、例えば無線ＬＡＮ、ブルートゥース（Ｂｌｕｅｔｏｏｔｈ）規格の短距離無線通信および移動電話通信のような接続された小型のアンテナを介した無線通信の機能を有する例えばノートブック型パーソナル・コンピュータ（ＰＣ）およびＰＤＡ（Ｐｅｒｓｏｎａｌ　Ｄｉｇｉｔａｌ　Ａｓｓｉｓｔａｎｃｅ）等のモバイル機器が普及しつつある。しかし、そのようなモバイル機器は、その小型のアンテナを介して現在の地上波アナログ・テレビジョン放送信号を良好な状態で受信することはできない。従って、ほとんどのモバイル機器はテレビジョン・チューナ・カードを含んでいない。しかし、そのようなモバイル機器は、将来、日本において地上波ディジタル・テレビジョン放送が開始されるとき、小型のアンテナを介して比較的高品質のディジタル画像信号で変調されたＲＦキャリアを受信できるであろう。従って、多くのモバイル機器が地上波ディジタル・テレビジョン受信機能を含むようになると予想される。
【０００４】
しかし、一般的に、複数の地上波テレビジョン放送のＲＦ信号は無線ＬＡＮおよび短距離無線通信に用いられる周波数帯域に比べて周波数が低く周波数帯域の範囲が広い。複数の地上波テレビジョン放送ＲＦ信号を送受信するためには比較的大きいサイズのアンテナが必要であり、モバイル機器内に収容することができない。
【０００５】
特開平１１−２５１８２５号公報（Ａ）には、小型の移動通信機器に収容可能な小型の逆Ｆ型アンテナが記載されている。この逆Ｆ型アンテナは、送受信ＲＦ信号の波長λの４分の１だけの長さのアンテナを有し、移動通信機器に収容するのに適している。その逆Ｆ字型アンテナは、放射器の長さを周波数によって制御する共振回路と、給電点から接地点までの距離を周波数によって制御する共振回路が設けられている。
【０００６】
典型的には、その逆Ｆ字型アンテナでは共振回路に可変容量ダイオードが用いられて、その共振周波数が制御される。しかし、そのような可変キャパシタでは、可変容量の値の範囲が比較的狭く、可変容量の値の範囲を広げるためには望ましくない比較的高い制御電圧が必要である。
【０００７】
特開平１０−２８４９１９号公報（Ａ）には、広範囲のＲＦ信号を送受信するための、移動体通信機用の小型のアンテナ装置が記載されている。そのアンテナ装置は、アンテナ本体と周波数調整回路とを含む。その調整回路は、並列に結合されたダイオードとキャパシタからなる回路を有する。そのダイオードをオン／オフ制御することによって、アンテナの共振周波数が変化する。
【０００８】
発明者は、比較的低い制御電圧で可変キャパシタを制御でき、複数の地上波放送ＲＦ信号を受信するための広い周波数帯域を有する逆Ｆ字型アンテナの必要性（ニーズ）を認識した。
【０００９】
本発明の目的は、広い周波数帯域を有する逆Ｆ字型アンテナを実現することである。
【００１０】
本発明の別の目的は、広い周波数帯域を有する逆Ｆ型アンテナの共振周波数の調整を実現することである。
【００１１】
【発明の概要】
発明の１つの特徴によれば、アンテナ装置は、少なくとも１つのスイッチを介して直列に結合された少なくとも２つのアンテナ導体エレメントを有する逆Ｆ型アンテナと、その少なくとも１つのスイッチを制御する手段とを具えている。
【００１２】
発明の別の特徴によれば、アンテナ装置は、少なくとも１つの共振回路を介して直列に結合される少なくとも２つのアンテナ導体エレメントを具える逆Ｆ型アンテナを含んでいる。
【００１３】
その共振回路は可変キャパシタを含んだＬＣ共振回路であってもよい。そのアンテナ装置は、さらに、その可変キャパシタの値を変えるための制御手段を具えていてもよい。
【００１４】
そのＬＣ共振回路はＬＣ直列共振回路であってもよい。そのＬＣ共振回路はＬＣ並列共振回路であってもよい。
【００１５】
そのアンテナ装置は、その逆Ｆ型アンテナに結合された給電線のインピーダンスとその逆Ｆ型アンテナのインピーダンスを整合させるために、そのアンテナ導体エレメントと接地点との間に少なくとも１つのスイッチまたは共振回路を具えていてもよい。
【００１６】
その逆Ｆ型アンテナはプリント板上に形成されていてもよい。
【００１７】
発明のさらに別の特徴によれば、情報処理装置は、上述のような複数のアンテナ装置と、その複数のアンテナ装置の中の１つを選択する手段とを具えている。
【００１８】
発明のさらに別の特徴によれば、情報処理装置は、上述のような複数のアンテナ装置を具えている。その複数のアンテナ装置は相異なる向きに取り付けられている。
【００１９】
発明のさらに別の特徴によれば、情報処理装置は、上述のような複数のアンテナ装置と、ユーザによって指定される受信チャンネル情報に基づいてそのアンテナ装置を制御するチャンネル変更手段と、を具えている。
【００２０】
本発明によれば、広い周波数帯域幅を有する逆Ｆ字型アンテナを実現できる。
【００２１】
図において、同じ参照番号は同様の要素を示している。
【００２２】
【００２３】
【発明の好ましい実施形態】
図１は、本発明の実施形態による、例えばノートブック型パーソナル・コンピュータ（ＰＣ）およびＰＤＡのようなモバイル情報処理装置１０の構成の部分切り欠き図を示している。情報処理装置１０は、表示部筐体２０の内部における表示装置２２の上辺にほぼ沿って配置された水平方向の逆Ｆ型アンテナ（Ｉｎｖｅｒｔｅｄ−Ｆ　Ａｎｔｅｎｎａ）５２と表示装置２２の左側辺にほぼ沿って配置された垂直方向の逆Ｆ型アンテナ５４とを含み、さらに主要部筐体３０の内部におけるキーボード３２の左側辺にほぼ沿って配置された水平方向の逆Ｆ型アンテナ５６を含んでいる。３つの逆Ｆ型アンテナ５２、５４および５６は、表示部筐体２０の表示面と主要部筐体３０のキーボード面が９０度になるように表示部筐体２０を開いたときに、それぞれのアンテナ方向が概ね互いに垂直になるように配置されている。逆Ｆ型アンテナ５２、５４および５６は、接地点に並列に接続されている。３つの逆Ｆ型アンテナ５２、５４および５６は、例えば偏波、周波数、スペースおよび角度ダイバーシティ（ダイバーシチ）のようなダイバーシティのために設けられている。逆Ｆ型アンテナ５２、５４および５６は、送信および受信に用いることができる。
【００２４】
図２は、本発明の実施形態による、図１に示された逆Ｆ型アンテナ５２、５４および５６として用いられる逆Ｆ型アンテナ５００の構成とその関連するコンポーネントとを例示している。逆Ｆ型アンテナ５００は、ＲＦ信号放射および受信用の逆Ｆ型の主要導体エレメント５０２、エレメント５０２に直列に結合される、ＲＦ電磁波放射および受信用の中間の細長い長方形状の導体エレメント５０６および５０８および先端の細長い長方形状の導体エレメント５１０、および金属の接地導体５１８を含んでいる。エレメント５０２、５０６、５０８および５１０は、プリント板４００上に、成形されたプレートとして実装されまたはストリップ・ラインとして形成されている。逆Ｆ型アンテナ５００は、さらに、プリント板４００上に配置されたアンテナ５００の実効的長さＬまたは共振周波数ｆの調整用のスイッチ・ユニット６０２、６０４および６０６を含んでいる。
【００２５】
逆Ｆ型主要エレメント５０２は、細長いセグメント５０４と、セグメント５０４の一端においてほぼ垂直方向に分岐していて接地点ＧＰにおいて接地導体５１８に接続される短い基部セグメント５１２と、セグメント５０４の両端の間の位置でほぼ垂直方向に分岐していて接地導体５１８から分離している短い給電セグメント５１４とで形成されている。セグメント５０４とエレメント５０６、５０８および５１０とはほぼ直線上にあり、接地導体５１８のエレメント５０２側の則辺（上端縁）にほぼ平行に延びている。給電エレメント５１４は、その端部または給電点ＦＰが例えば同軸ケーブルのような給電線またＲＦ信号線は５２０に結合されている。
【００２６】
スイッチ・ユニット６０２はセグメント５０４の他端とエレメント５０６の一端の間に結合される。スイッチ・ユニット６０４はエレメント５０６の他端とエレメント５０８の一端の間に結合される。スイッチ・ユニット６０６はエレメント５０８の他端とエレメント５１０の一端の間に結合される。
【００２７】
逆Ｆ型アンテナ５００の実効的長さＬは、エレメント５０２のセグメント５１２の長さおよびセグメント５０４の長さ、およびエレメント５０２に電気的に結合されたエレメント５０６〜５１０の長さの総和によって表される。エレメント５０４〜５１４のそれぞれの長さは、典型的には約１ｃｍ〜約１０ｃｍのオーダである。スイッチ・ユニット６０２、６０４および６０６は、図において誇張して大きく表されているが、エレメント５０２、および５０６〜５１０と比較して遙かに小さい大きさまたはサイズ、例えば約１ｍｍ〜数ｍｍの大きさ（ｄｉｍｅｎｓｉｏｎｓ）を有する。
【００２８】
給電エレメント５１４上のＲＦ信号の電圧定在波比（ＶＳＷＲ）（＝（１＋｜ｒ｜）／（１−｜ｒ｜）、ここでｒは複素電圧反射係数を表す）が適当な値に、例えば値２になるように、アンテナ５００のエレメント５０２、５０６、５０８および５１０の形状および場合によっては関連するインダクタンス（誘導）およびキャパシタンス（容量）が調整されている。アンテナ５００と給電線５２０がインピーダンスについて完全な整合状態にあるとき、ＶＳＷＲは値１である。ＶＳＷＲを値１より幾分大きくすると、ＲＦ信号の品質が幾分か低下するがアンテナ５００の共振周波数帯域がより広くなる。
【００２９】
情報処理装置１０は、さらに、信号処理部３０２、ＲＦチューナ３０４および制御デコーダ３０６を含んでいる。信号処理部３０２は、ＣＰＵ、ＲＯＭおよびＲＡＭ等を含む、パーソナル・コンピュータ等の通常のプロセッサであればよい。情報処理部３０２は、ＲＦチューナ３０４およびスイッチ制御デコーダ３０６に結合されている。ＲＦチューナ３０４は給電線５２０に接続されている。制御デコーダ３０６はアンテナ５００のスイッチ・ユニット６０２〜６０６に結合されている。
【００３０】
情報処理部３０２は、チャンネル識別またはチャンネル番号を表すデータをＲＦチューナ３０４に供給し、チャンネル識別に対応するアンテナ５００の共振周波数ｆの調整用の制御信号を制御デコーダ３０６に供給する。制御デコーダ３０６は、その制御信号をデコードして、スイッチ・ユニット６０２〜６０６を制御するのに適した別の制御信号、オン／オフ制御信号ＳＣ１、ＳＣ２およびＳＣ３を、スイッチ・ユニット６０２〜６０６にそれぞれ供給する。制御デコーダ３０６に供給される制御信号は、スイッチ・ユニット６０２〜６０６のオン／オフ制御命令を含んでいてもよい。代替構成として、制御デコーダ３０６は、制御信号としてチャンネル識別を受け取って、そのチャンネル識別をデコードして、スイッチ・ユニット６０２〜６０６を制御するのに適したその別の制御信号を供給してもよい。
【００３１】
スイッチ・ユニット６０２は、制御信号ＳＣ１に応答して、エレメント５０２をエレメント５０６に結合またはそれから分離させて、アンテナ５００の実効的長さＬまたは共振周波数ｆを決定する。スイッチ・ユニット６０４は、制御信号ＳＣ２に応答して、さらにエレメント５０６をエレメント５０８に結合またはそれから分離させてアンテナ５００の実効的長さＬまたは共振周波数ｆを決定する。スイッチ・ユニット６０６は、制御信号ＳＣ３に応答して、さらにエレメント５０８をエレメント５１０に結合またはそれから分離させてアンテナ５００の実効的長さＬまたは共振周波数ｆを決定する。ユニット６０２〜６０６は単極単投スイッチである。
【００３２】
スイッチ・ユニット６０２がオフ状態のとき、アンテナ５００の実効的な長さＬは、セグメント５１２の長さＬ１とセグメント５０４の長さＬ２の和、即ち主要導体エレメント５０２のアンテナ長Ｌ１＋Ｌ２である。スイッチ・ユニット６０２がオン状態で、スイッチ・ユニット６０４がオフ状態のとき、アンテナ５００の実効的な長さＬは、エレメント５０２の長さＬ１＋Ｌ２およびエレメント５０６の長さＬ３の和である。スイッチ・ユニット６０２および６０４がオン状態で、スイッチ・ユニット６０６がオフ状態のとき、アンテナ５００の実効的な長さＬは、エレメント５０２の長さＬ１＋Ｌ２、エレメント５０６の長さＬ３およびエレメント５０８の長さＬ４の和である。スイッチ・ユニット６０２〜６０６がオン状態のとき、アンテナ５００の実効的な長さＬは、エレメント５０２の長さＬ１＋Ｌ２、エレメント５０６の長さＬ３、エレメント５０８の長さＬ４およびエレメント５１０の長さＬ５の和である。このようにして、アンテナ５００の送受信周波数帯域を変えることができる。アンテナ５００の実効的な長さＬは、概ね、送信または受信ＲＦ信号の波長λの４分の１に対応する。
【００３３】
図２の実施形態によれば、スイッチをオンおよびオフするための簡単なディジタル回路を用いて、広い周波数帯域の小型の逆Ｆ型アンテナを実現できる。
【００３４】
図３は、本発明の別の実施形態による、図１に示された逆Ｆ型アンテナ５２、５４および５６として用いられる逆Ｆ型アンテナ７００の構成とその関連するコンポーネントとを例示している。逆Ｆ型アンテナ７００は、図２の構成と同様に、逆Ｆ型の主要導体エレメント５０２、細長い長方形状の導体エレメント５０６、５０８および５１０、および金属の接地導体５１８を含んでいる。逆Ｆ型アンテナ７００は、さらに、アンテナ７００の実効的長さＬまたは共振周波数ｆを調整するためのスイッチおよび調整器ユニット６１２、６１４および６１６、および給電線５２０のインピーダンス、例えば５０Ωとアンテナ７００を整合させるためのインピーダンスまたは共振周波数の調整用の調整器ユニット６５１を含む別の導体セグメント５１６を含んでいる。
【００３５】
ユニット６１２のスイッチＳＷ１は、エレメント５０６に結合されたバイパスまたは短絡用の端子ａ１の位置、エレメント５０６との間に結合されたＬＣ共振回路に結合された端子ｂ１の位置、および端子ａ１およびｂ１のいずれにも接続されないオフ状態即ちニュートラルｎ１の位置の中のいずれかの位置を取る。即ち、スイッチＳＷ１は、ニュートラル位置付きの単極双投スイッチである。端子ａ１は、アンテナ７００の実効的長さＬまたは共振周波数ｆの粗調整のために設けられている。そのＬＣ共振回路は、直列に結合されたインダクタＬ１１と可変キャパシタＣ１１で形成されいて、実効的長さＬまたは共振周波数ｆの微調整のために設けられている。一般的に、直列に結合されたインダクタと可変キャパシタのインダクタンスは、共振周波数において最小値を取る。
【００３６】
ユニット６１４のスイッチＳＷ２は、同様に、エレメント５０８に結合された端子ａ２の位置、エレメント５０８との間に結合されたＬＣ共振回路に結合された端子ｂ２の位置、および端子ａ２およびｂ２のいずれにも接続されないオフ状態即ちニュートラルｎ２の位置の中のいずれかの位置を取る。端子ａ２は、アンテナ７００の実効的長さＬまたは共振周波数ｆの粗調整のために設けられている。そのＬＣ共振回路は、直列に結合されたインダクタＬ１２と可変キャパシタＣ１２で形成されいて、実効的長さＬまたは共振周波数ｆの微調整のために設けられている。
【００３７】
ユニット６１６のスイッチＳＷ３は、同様に、エレメント５１０に結合された端子ａ３の位置、エレメント５１０との間に結合されたＬＣ共振回路に結合された端子ｂ３の位置、および端子ａ３およびｂ３のいずれにも接続されないオフ状態即ちニュートラルｎ３の位置の中のいずれかの位置を取る。端子ａ３は、アンテナ７００の実効的長さＬまたは共振周波数ｆの粗調整のために設けられている。そのＬＣ共振回路は、直列に結合されたインダクタＬ１３と可変キャパシタＣ１３で形成されいて、実効的長さＬまたは共振周波数ｆの微調整のために設けられている。
【００３８】
逆Ｆ型主要エレメント５０２の導体セグメント５１６は、セグメント５０４におけるセグメント５１０と５１４の間の位置でほぼ垂直に分岐して接地導体５１８に接続されている。調整器ユニット６５１は、導体セグメント５１６の中間位置における、セグメント５１６の分離されたセグメント５０４側と接地導体５１８側の２つの部分の間に結合され、即ちセグメント５１６に直列に結合されている。調整器ユニット６５１は、直列に結合されたインダクタＬ０１および可変キャパシタＣ０１で形成されたＬＣ共振回路を含んでいる。調整器ユニット６５１は、ユニット６１２〜６１６による共振周波数の調整に応じて、アンテナ７００のインピーダンスを給電線５２０のインピーダンスと整合させるのために設けられており、ユニット６１２〜６１６による共振周波数の調整に伴ってインピーダンス整合がとれなくなるのを即ちＶＳＷＲが変動するのを防止するためのものである。
【００３９】
ユニット６１２、６１４および６１６のスイッチＳＷ１〜ＳＷ３、インダクタＬ１１〜Ｌ１３、および可変キャパシタＣ１１〜Ｃ１３、およびユニット６５１のインダクタＬ０１および可変キャパシタＣ０１の各々は、図において誇張して大きく表されているが、エレメント５０２、および５０６〜５１０と比較して遙かに小さい大きさまたはサイズ、例えば約１ｍｍ〜数ｍｍの大きさを有する。
【００４０】
情報処理部３０２は、図２と同様に、チャンネル識別を表すデータをＲＦチューナ３０４に供給し、チャンネル識別に対応するアンテナ７００の共振周波数の調整用の制御信号を制御デコーダ３０６に供給する。制御デコーダ３０６は、その制御信号をデコードして、ユニット６１２〜６５１を制御するのに適した別の制御信号、ディジタルのオン／オフ制御信号ＳＣ１、ＳＣ２およびＳＣ３と、アナログの可変キャパシタ制御電圧信号ＣＳ１〜ＣＳ３およびＣＳ０を、スイッチ・ユニット６１２〜６５１にそれぞれ供給する。制御デコーダ３０６は、制御信号ＣＳ１〜ＣＳ３およびＣＳ０を生成するためのディジタル−アナログ変換器を含んでいる。制御デコーダ３０６に供給される制御信号は、スイッチ・ユニット６１２〜６１６のオン／オフ制御命令を含んでいてもよい。代替構成として、制御デコーダ３０６は、制御信号としてチャンネル識別を受け取って、そのチャンネル識別をデコードして、ユニット６１２〜６５１を制御するのに適したその別の制御信号を供給してもよい。
【００４１】
ユニット６１２は、制御信号ＳＣ１に応答して、スイッチＳＷ１を端子ａ１、ｂ１またはオフ状態ｎ１のいずれかの位置に切り換えて、エレメント５０２をエレメント５０６に結合させ、エレメント５０６に結合された素子Ｌ１１およびＣ１１で形成されたＬＣ共振回路にエレメント５０２を結合させ、またはそれらからエレメント５０２を分離させて、アンテナ７００の実効的長さＬまたは共振周波数ｆを粗調整する。ユニット６１２は、スイッチＳＷ１が端子ｂ１の位置にあるとき、アナログ制御信号ＣＳ１に応答して、可変キャパシタＣ１１の可変容量を制御することによってそのＬＣ共振回路の共振周波数を微調整して、アンテナ７００の実効的長さＬまたは共振周波数ｆを微調整する。
【００４２】
ユニット６１４は、同様に、制御信号ＳＣ２に応答して、スイッチＳＷ２を端子ａ２、ｂ２またはオフ状態ｎ２のいずれかの位置に切り換えて、エレメント５０６をエレメント５０８に結合させ、エレメント５０８に結合された素子Ｌ１２およびＣ１２で形成されたＬＣ共振回路にエレメント５０６を結合させ、またはそれらからスイッチＳＷ２を分離させて、アンテナ７００の実効的長さＬまたは共振周波数ｆを粗調整する。ユニット６１４は、スイッチＳＷ２が端子ｂ２の位置にあるとき、アナログ制御信号ＣＳ２に応答して、可変キャパシタＣ１２の可変容量を制御することによってそのＬＣ共振回路の共振周波数を微調整して、アンテナ７００の実効的長さＬまたは共振周波数ｆを微調整する。
【００４３】
ユニット６１６は、同様に、制御信号ＳＣ３に応答して、スイッチＳＷ３を端子ａ３、ｂ３またはオフ状態ｎ３のいずれかの位置に切り換えて、エレメント５０８をエレメント５１０に結合させ、エレメント５１０に結合された素子Ｌ１３およびＣ１３で形成されたＬＣ共振回路にエレメント５０８を結合させ、またはそれらからエレメント５０８を分離させて、アンテナ７００の実効的長さＬまたは共振周波数ｆを粗調整する。ユニット６１６は、スイッチＳＷ３が端子ｂ３の位置にあるとき、アナログ制御信号ＣＳ３に応答して、可変キャパシタＣ１３の可変容量を制御することによってそのＬＣ共振回路の共振周波数を微調整して、アンテナ７００の実効的長さＬまたは共振周波数ｆを微調整する。
【００４４】
ユニット６５１は、アナログ制御信号ＣＳ０に応答して、可変キャパシタＣ０１の可変容量を制御することによってＬＣ共振回路の共振周波数を調整して、給電点ＦＰと接地点ＧＰ間の距離を実効的にまたは擬似的に変化させ、それによって給電線５２０とアンテナ７００のインピーダンスを整合させる。制御信号ＣＳ０は、制御信号ＣＳ１〜３の値に応じて予め決定されている。
【００４５】
図４は、スイッチおよび調整器ユニット６１２〜６１６のスイッチＳＷ１〜ＳＷ３の位置と、それぞれ可変キャパシタＣ１１〜Ｃ１３を含むＬＣ共振回路のインピーダンスＺの値と、逆Ｆ型アンテナ７００の共振周波数ｆとの関係を表す表を示している。この表において、共振周波数ｆはｆ（１）からｆ（１３）まで概ね単調に増加する。
【００４６】
図４を参照すると、状態１では、スイッチＳＷ１、ＳＷ２およびＳＷ３はそれぞれ端子ａ１、ａ２およびａ３の位置、即ち短絡の位置を選択している。従って、アンテナ７００のエレメント５０２に全てのエレメント５０６〜５１０が接続され、アンテナ７００の長さＬが最も長くなり（Ｌ１＋Ｌ２＋Ｌ３＋Ｌ４＋Ｌ５）、その共振周波数ｆが最も低いｆ（１）となる。
【００４７】
状態２〜４では、スイッチＳＷ１およびＳＷ２がそれぞれ端子ａ１およびａ２の位置を、スイッチＳＷ３が端子ｂ３の位置を選択している。従って、アンテナ７００のエレメント５０２にエレメント５０６および５０８が接続され、エレメント５０８と５１０の間に、インダクタＬ１３およびキャパシタＣ１３で形成されたユニット６１６のＬＣ共振回路が結合される。
【００４８】
状態２では、キャパシタＣ１３の容量を調整してＬＣ共振回路を共振状態にすることによって、そのＬＣ共振回路のインピーダンスＺがほぼ０（ゼロ）となり、状態１とほぼ同じ状態になり、その共振周波数ｆがｆ（２）≒ｆ（１）となる。
【００４９】
状態３〜４では、キャパシタＣ１３の容量を調整してＬＣ共振回路を非共振状態にし、ＬＣ共振回路のインピーダンスＺを大きくすることによってエレメント５０８をエレメント５１０に減結合させ、アンテナ７００の実効的長さＬを短くし、それによってアンテナ７００の共振周波数ｆをｆ（３）〜ｆ（４）に上げることができる。インピーダンスＺが最も大きくなったときの共振周波数ｆ（４）は、スイッチＳＷ３をオフ状態にしたとき（状態５）の共振周波数ｆ（５）とほぼ同じになる。
【００５０】
状態５では、スイッチＳＷ１およびＳＷ２はそれぞれ端子ａ１およびａ２の位置を選択し、スイッチＳＷ３はオフ位置を選択している。従って、アンテナ７００のエレメント５０２にエレメント５０６および５０８が接続され、アンテナ７００の長さＬがＬ１＋Ｌ２＋Ｌ３＋Ｌ４となり、その共振周波数ｆがｆ（５）となる。
【００５１】
状態６〜８では、スイッチＳＷ１が端子ａ１の位置を、スイッチＳＷ２が端子ｂ２の位置を、スイッチＳＷ３がオフ状態の位置を選択している。従って、アンテナ７００のエレメント５０２にエレメント５０６が接続され、エレメント５０６と５０８の間に、インダクタＬ１２およびキャパシタＣ１２で形成されたユニット６１４のＬＣ共振回路が結合される。
【００５２】
状態６では、キャパシタＣ１２の容量を調整してＬＣ共振回路を共振状態にすることによって、そのＬＣ共振回路のインピーダンスＺがほぼ０（ゼロ）となり、状態５とほぼ同じ状態になり、その共振周波数ｆがｆ（６）≒ｆ（５）となる。
【００５３】
状態７〜８では、キャパシタＣ１２の容量を調整してＬＣ共振回路を非共振状態にし、ＬＣ共振回路のインピーダンスＺを大きくすることによってエレメント５０６をエレメント５０８に減結合させ、アンテナ７００の実効的長さＬを短くし、それによってアンテナ７００の共振周波数ｆをｆ（７）〜ｆ（８）に上げることができる。インピーダンスＺが最も大きくなったときの共振周波数ｆ（８）は、スイッチＳＷ２をオフ状態にしたとき（状態９）の共振周波数ｆ（９）とほぼ同じになる。
【００５４】
状態９では、スイッチＳＷ１は端子ａ１の位置を選択し、スイッチＳＷ２およびＳＷ３はオフ状態の位置を選択している。従って、アンテナ７００のエレメント５０２にエレメント５０６が接続され、アンテナ７００の長さＬがＬ１＋Ｌ２＋Ｌ３となり、その共振周波数ｆがｆ（９）となる。
【００５５】
状態１０〜１２では、スイッチＳＷ１が端子ｂ１の位置を選択し、スイッチＳＷ２およびＳＷ３がオフ状態の位置を選択している。従って、エレメント５０２と５０６の間に、インダクタＬ１１およびキャパシタＣ１１で形成されたユニット６０２のＬＣ共振回路が結合される。
【００５６】
状態１０では、キャパシタＣ１１の容量を調整してＬＣ共振回路を共振状態にすることによって、そのＬＣ共振回路のインピーダンスＺがほぼ０（ゼロ）となり、状態９とほぼ同じ状態になり、その共振周波数ｆがｆ（１０）となる。
【００５７】
状態１１〜１２では、キャパシタＣ１１の容量を調整してＬＣ共振回路を非共振状態にし、ＬＣ共振回路のインピーダンスＺを大きくすることによってエレメント５０２をエレメント５０６に減結合させ、アンテナ７００の実効的長さＬを短くし、それによってアンテナ７００の共振周波数ｆをｆ（１１）〜ｆ（１２）に上げることができる。インピーダンスＺが最も大きくなったときの共振周波数ｆ（１２）は、スイッチＳＷ１をオフ状態にしたとき（状態１３）の共振周波数ｆ（１３）と同じになる。
【００５８】
状態１３では、スイッチＳＷ１、ＳＷ２およびＳＷ３はオフ状態の位置を選択している。従って、アンテナ７００はエレメント５０２のみを含み、アンテナ７００の長さＬがＬ１＋Ｌ２となり、アンテナ７００の共振周波数ｆが最高のｆ（１３）となる。
【００５９】
共振周波数ｆ（２）はほぼｆ（１）に等しく、共振周波数ｆ（４）はほぼｆ（５）に等しいので、ユニット６１２において、端子ａ１をなくしてスイッチＳＷ１が端子ｂ１の位置とオフ状態ｎ１の位置だけを取るようにしても、オフ状態ｎ１の位置をなくしてスイッチＳＷ１が端子ａ１とｂ１の位置だけを取るようにしても、またはスイッチＳＷ１および端子ａ１をなくしてセグメント５０４の他端を端子ｂ１に永続（固定）的に接続してもよい。同様に、共振周波数ｆ（６）はほぼｆ（５）に等しく、共振周波数ｆ（８）はほぼｆ（９）に等しいので、ユニット６１４において、端子ａ２をなくしてスイッチＳＷ２が端子ｂ２の位置とオフ状態ｎ２の位置だけを取るようにしても、オフ状態ｎ２の位置をなくしてスイッチＳＷ２が端子ａ２とｂ２の位置だけを取るようにしても、またはスイッチＳＷ２および端子ａ２をなくしてエレメント５０６の他端を端子ｂ２に永続的に接続してもよい。同様に、共振周波数ｆ（１０）はほぼｆ（９）に等しく、共振周波数ｆ（１２）はほぼｆ（１３）に等しいので、ユニット６１６において、端子ａ３をなくしてスイッチＳＷ３が端子ｂ３の位置とオフ状態ｎ３の位置だけを取るようにしても、オフ状態ｎ３の位置をなくしてスイッチＳＷ３が端子ａ３とｂ３の位置だけを取るようにしても、またはスイッチＳＷ３および端子ａ３をなくしてエレメント５０８の他端を端子ｂ３に永続的に接続してもよい。
【００６０】
このように、スイッチＳＷ１、ＳＷ２およびＳＷ３とそれぞれのＬＣ共振回路の可変キャパシタＣ１１〜Ｃ１３を制御することによって、アンテナ７００の共振周波数ｆをｆ（１）〜ｆ（１３）の範囲で変えることができ、それによって比較的広い周波数帯域が確保される。
【００６１】
インダクタＬ１１およびキャパシタＣ１１で形成されたＬＣ共振回路の可変共振周波数ｆ１１と、インダクタＬ１２およびキャパシタＣ１２で形成されたＬＣ共振回路の可変共振周波数ｆ１２と、インダクタＬ１３およびキャパシタＣ１３で形成されたＬＣ共振回路の可変共振周波数ｆ１３とが、ｆ１１＞ｆ１２＞ｆ１３の関係になるようにインダクタＬ１１〜Ｌ１３およびキャパシタＣ１１〜１３の値が決定される。
【００６２】
スイッチＳＷ１、ＳＷ２およびＳＷ３とそれぞれのＬＣ共振回路の可変キャパシタＣ１１〜Ｃ１３を制御することによってアンテナ７００の適正なインピーダンス整合が得られなくなり、従ってＶＳＷＲが上昇するときは、ユニット６５１は、制御信号ＣＳ０に応答して可変キャパシタＣ０１の可変容量を制御することによって、給電点ＦＰから接地点ＧＰまでの距離を実効的にまたは擬似的に変化させ、それによってアンテナ７００のインピーダンス整合を最適化する。代替構成として、ユニット６５１の代わりに、ユニット６１２〜６１６のような直列に結合された複数のスイッチ付きＬＣ共振回路をセグメント５１６に直列に接続し、それらをユニット６１２〜６１６と同様に制御することによって、インピーダンス整合の調整範囲を拡大してもよい。
【００６３】
図５は、図３の実施形態による共振周波数ｆとＶＳＷＲの可変範囲を示している。
【００６４】
図６は、本発明のさらに別の実施形態による、図１に示された逆Ｆ型アンテナ５２、５４および５６として用いられる逆Ｆ型アンテナ８００の構成とその関連するコンポーネントとを例示している。逆Ｆ型アンテナ８００は、図２および３の構成と同様に、逆Ｆ型の主要導体エレメント５０２、細長い長方形状の導体エレメント５０６、５０８および５１０、および金属の接地導体５１８を含んでいる。逆Ｆ型アンテナ８００は、さらに、アンテナ８００の実効的長さＬまたは共振周波数ｆを調整するためのスイッチおよび調整器ユニット６２２、６２４および６２６、および給電線５２０とアンテナ８００のインピーダンスを整合させるためのインピーダンスまたは共振周波数の調整用の調整器ユニット６５２を含む導体セグメント５１６を含んでいる。
【００６５】
ユニット６２２、６２４、６２６および６５２は、それぞれのＬＣ共振回路が並列に結合されたインダクタとキャパシタで形成されていることを除いて、図６のユニット６１２、６１４、６１６および６５１とそれぞれ同様の構成である。一般的に、並列に結合されたインダクタと可変キャパシタのインダクタンスは、共振周波数において最大値を取る。
【００６６】
ユニット６２２において、端子ｂ１とエレメント５０６の間に、並列に結合されたインダクタＬ２１と可変キャパシタＣ２１で形成された微調整用のＬＣ共振回路が結合されている。ユニット６２４において、端子ｂ２とエレメント５０８の間に、並列に結合されたインダクタＬ２２と可変キャパシタＣ２２で形成された微調整用のＬＣ共振回路が結合されている。ユニット６２６において、端子ｂ３とエレメント５１０の間には、並列に結合されたインダクタＬ２３と可変キャパシタＣ２３で形成された微調整用のＬＣ共振回路が結合されている。調整器ユニット６５２は、並列に結合されたインダクタＬ０２および可変キャパシタＣ０２で形成されたＬＣ共振回路を含んでいる。調整器ユニット６５２は、図３におけるユニット６５１と同様に、ユニット６２２〜６２６による共振周波数の調整に応じて、アンテナ８００と給電線５２０のインピーダンスを整合させるのために設けられている。
【００６７】
図７は、スイッチおよび調整器ユニット６２２〜６２６のスイッチＳＷ１〜ＳＷ３の位置と、それぞれ可変キャパシタＣ２１〜Ｃ２３を含むＬＣ共振回路のインピーダンスＺの値と、逆Ｆ型アンテナ８００の共振周波数ｆとの関係を表す表を示している。この表において、共振周波数ｆはｆ（１）からｆ（１３）まで概ね単調に増加する。
【００６８】
図７を参照すると、状態１では、図４の表と同様に、スイッチＳＷ１、ＳＷ２およびＳＷ３はそれぞれ端子ａ１、ａ２およびａ３の位置を選択している。アンテナ８００の長さＬが最も長くなり（Ｌ１＋Ｌ２＋Ｌ３＋Ｌ４＋Ｌ５）、その共振周波数ｆが最も低いｆ（１）となる。
【００６９】
状態２〜４では、スイッチＳＷ１およびＳＷ２がそれぞれ端子ａ１およびａ２の位置を、スイッチＳＷ３が端子ｂ３の位置を選択している。従って、アンテナ８００のエレメント５０２にエレメント５０６および５０８が接続され、エレメント５０８と５１０の間に、インダクタＬ２３およびキャパシタＣ２３で形成されたユニット６２６のＬＣ共振回路が結合される。
【００７０】
状態２〜３では、キャパシタＣ２３の容量を調整してＬＣ共振回路を非共振状態にし、ＬＣ共振回路のインピーダンスＺを大きくすることによってエレメント５０８をエレメント５１０に減結合させ、アンテナ８００の実効的長さＬを短くし、それによってアンテナ８００の共振周波数ｆをｆ（２）〜ｆ（３）に上げることができる。
【００７１】
状態２では、キャパシタＣ２３の容量を変えてＬＣ共振回路を非共振状態にすることによって、そのＬＣ共振回路のインピーダンスＺを最小にして、状態１とほぼ同じ状態にし、その共振周波数ｆがｆ（２）≒ｆ（１）となる。
【００７２】
状態４では、キャパシタＣ２３の容量を調整してＬＣ共振回路を共振状態にし、ＬＣ共振回路のインピーダンスＺを最大にすることによってエレメント５０８をエレメント５１０に減結合させる。その共振周波数ｆ（４）は、スイッチＳＷ３をオフ状態にしたとき（状態５）の共振周波数ｆ（５）とほぼ同じになる。
【００７３】
状態５では、スイッチＳＷ１およびＳＷ２はそれぞれ端子ａ１およびａ２の位置を選択し、スイッチＳＷ３はオフ位置を選択している。従って、アンテナ８００のエレメント５０２にエレメント５０６および５０８が接続され、アンテナ８００の長さＬがＬ１＋Ｌ２＋Ｌ３＋Ｌ４となり、その共振周波数ｆがｆ（５）となる。
【００７４】
状態６〜８では、スイッチＳＷ１が端子ａ１の位置を、スイッチＳＷ２が端子ｂ２の位置を、スイッチＳＷ３がオフ状態の位置を選択している。従って、アンテナ８００のエレメント５０２にエレメント５０６が接続され、エレメント５０６と５０８の間に、インダクタＬ２２およびキャパシタＣ２２で形成されたユニット６２４のＬＣ共振回路が結合される。
【００７５】
状態６〜７では、キャパシタＣ２２の容量を調整してＬＣ共振回路を非共振状態にし、ＬＣ共振回路のインピーダンスＺを大きくすることによってエレメント５０６をエレメント５０８に減結合させ、アンテナ８００の実効的長さＬを短くし、それによってアンテナ８００の共振周波数ｆをｆ（６）〜ｆ（７）に上げることができる。
【００７６】
状態６では、キャパシタＣ２２の容量を調整してＬＣ共振回路を非共振状態にすることによって、そのＬＣ共振回路のインピーダンスＺを最小にして、状態５とほぼ同じ状態にし、その共振周波数ｆがｆ（６）≒ｆ（５）となる。
【００７７】
状態８では、キャパシタＣ２２の容量を調整してＬＣ共振回路を共振状態にし、ＬＣ共振回路のインピーダンスＺを最大にすることによってエレメント５０６をエレメント５０８に減結合させる。その共振周波数ｆ（８）は、スイッチＳＷ２をオフ状態にしたとき（状態９）の共振周波数ｆ（９）とほぼ同じになる。
【００７８】
状態９では、スイッチＳＷ１は端子ａ１の位置を選択し、スイッチＳＷ２およびＳＷ３はオフ状態の位置を選択している。従って、アンテナ８００のエレメント５０２にエレメント５０６が接続され、その共振周波数ｆがｆ（９）となる。
【００７９】
状態１０〜１２では、スイッチＳＷ１が端子ｂ１の位置を選択し、スイッチＳＷ２およびＳＷ３がオフ状態の位置を選択している。従って、エレメント５０２と５０６の間に、インダクタＬ２１およびキャパシタＣ２１で形成されたＬＣ共振回路が結合される。
【００８０】
状態１０〜１１では、キャパシタＣ２１の容量を調整してＬＣ共振回路を非共振状態にし、ＬＣ共振回路のインピーダンスＺを大きくすることによってエレメント５０２をエレメント５０６に減結合させ、アンテナ８００の実効的長さＬを短くし、それによってアンテナ８００の共振周波数ｆをｆ（１０）〜ｆ（１１）に上げることができる。
【００８１】
状態１０では、キャパシタＣ２１の容量を調整してＬＣ共振回路を非共振状態にすることによって、そのＬＣ共振回路のインピーダンスＺを最小にして、状態１とほぼ同じ状態にし、その共振周波数ｆがｆ（１０）≒ｆ（９）となる。
【００８２】
状態１２では、キャパシタＣ２１の容量を調整してＬＣ共振回路を共振状態にし、ＬＣ共振回路のインピーダンスＺを最大にすることによってエレメント５０２をエレメント５０６に減結合させる。その共振周波数ｆ（１２）は、スイッチＳＷ１をオフ状態にしたとき（状態１３）の共振周波数ｆ（１３）とほぼ同じになる。
【００８３】
状態１３では、スイッチＳＷ１、ＳＷ２およびＳＷ３はオフ状態の位置を選択している。従って、アンテナ８００の共振周波数ｆが最高のｆ（１３）となる。
【００８４】
インダクタＬ２１およびキャパシタＣ２１で形成されたＬＣ共振回路の可変共振周波数ｆ２１と、インダクタＬ２２およびキャパシタＣ２２で形成されたＬＣ共振回路の可変共振周波数ｆ２２と、インダクタＬ２３およびキャパシタＣ２３で形成されたＬＣ共振回路の可変共振周波数ｆ２３とが、ｆ２１＞ｆ２２＞ｆ２３の関係になるようにインダクタＬ２１〜Ｌ２３およびキャパシタＣ２１〜２３の値が決定される。
【００８５】
図３の場合と同様に、ユニット６２２において、端子ａ１をなくしてスイッチＳＷ１が端子ｂ１の位置とオフ状態ｎ１の位置だけを取るようにしても、オフ状態ｎ１の位置をなくしてスイッチＳＷ１が端子ａ１とｂ１の位置だけを取るようにしても、またはスイッチＳＷ１および端子ａ１をなくしてセグメント５０４の他端を端子ｂ１に永続的に接続してもよい。同様に、ユニット６２４において、端子ａ２をなくしてスイッチＳＷ２が端子ｂ２の位置とオフ状態ｎ２の位置だけを取るようにしても、オフ状態ｎ２の位置をなくしてスイッチＳＷ２が端子ａ２とｂ２の位置だけを取るようにしても、またはスイッチＳＷ２および端子ａ２をなくしてエレメント５０６の他端を端子ｂ２に永続的に接続してもよい。同様に、ユニット６２６において、端子ａ３をなくしてスイッチＳＷ３が端子ｂ３の位置とオフ状態ｎ３の位置だけを取るようにしても、オフ状態ｎ３の位置をなくしてスイッチＳＷ３が端子ａ３とｂ３の位置だけを取るようにしても、またはスイッチＳＷ３および端子ａ３をなくしてエレメント５０８の他端を端子ｂ３に永続的に接続してもよい。
【００８６】
図３の場合と同様に、ユニット６５２は、制御信号ＣＳ０に応答して、可変キャパシタＣ０２の可変容量を制御することによって、給電点ＦＰから接地点ＧＰまでの距離を実効的にまたは擬似的に変化させ、それによってアンテナ８００のインピーダンス整合を最適化する。代替構成として、ユニット６５２の代わりに、ユニット６２２〜６２６のような直列に結合された複数のスイッチ付きＬＣ共振回路をセグメント５１６に直列に接続し、それらをユニット６２２〜６２６と同様に制御することによって、インピーダンス整合の調整範囲を拡大してもよい。
【００８７】
図５は、図６の実施形態による共振周波数ｆとＶＳＷＲの可変範囲をも示している。
【００８８】
このように、図３および６の実施形態によれば、各ユニット６１２〜６１６および６５１および６２２〜６２６および６５２における各ＬＣ共振回路はアンテナ７００または８００の共振周波数ｆの微調整のみを担当するので、各ＬＣ共振回路の可変キャパシタのキャパシタンスの変化の範囲は小さく、従って可変容量ダイオードのための比較的簡単なアナログ電圧源で済む。
【００８９】
図８は、本発明のさらに別の実施形態による、図１に示された逆Ｆ型アンテナ５２、５４および５６の構成とその関連するコンポーネントとを例示している。アンテナ５２、５４および５６の各々は、図２、３または６に示された逆Ｆ型アンテナ５００、７００または８００の構成を有する。アンテナ５２、５４および５６は、接地点に並列に結合されており、それぞれの給電線を介し、スイッチＳＷ０を介し、例えば同軸ケーブルのような給電線５２２を介してＲＦチューナ３０４に結合されている。
【００９０】
スイッチＳＷ０は、ディジタル・スイッチ制御信号ＳＣ０に応答して、逆Ｆ型アンテナ５２、５４および５６のいずれかを給電線５２２に選択的に結合する。情報処理装部３０２は、ＲＦ信号の送信または受信状態をモニタして、送信または受信状態の最も良好な逆Ｆ型アンテナを選択すればよい。
【００９１】
制御デコーダ３０６は、スイッチ制御信号ＳＣ０をＳＷ０に供給し、制御信号ＳＣ１、ＳＣ２．．．およびＳＣ９等をそれぞれの共振周波数調整用のスイッチ・ユニット６５２〜６７６に供給する。
【００９２】
アンテナ５２は、制御信号ＳＣ１〜ＳＣ３等に応答して、最短の長さ（Ｌ１＋Ｌ１２）〜最長の長さ（Ｌ１＋Ｌ１２＋Ｌ１３＋Ｌ１４＋Ｌ１５）の範囲の実効的長さを形成する。アンテナ５４は、制御信号ＳＣ４〜ＳＣ６等に応答して、最短の長さ（Ｌ１＋Ｌ２２）〜最長の長さ（Ｌ１＋Ｌ２２＋Ｌ２３＋Ｌ２４＋Ｌ２５）の範囲の実効的長さを形成する。アンテナ５６は、制御信号ＳＣ７〜ＳＣ９等に応答して、最短の長さ（Ｌ１＋Ｌ３２）〜最長の長さ（Ｌ１＋Ｌ３２＋Ｌ３３＋Ｌ３４＋Ｌ３５）の範囲の実効的長さを形成する。
【００９３】
図９は、図８における逆Ｆ型アンテナ５２、５４および５６の各々の可変実効的長さＬと共振周波数ｆとの関係を示している。例えば、アンテナの長さＬが６ｃｍのとき共振周波数は１，２５０ＭＨｚとなり、アンテナの長さＬが７ｃｍのとき共振周波数は１，０７１ＭＨｚとなり、アンテナの長さＬが８ｃｍのとき共振周波数は９３８ＭＨｚとなり、アンテナ長が９ｃｍのとき共振周波数は８３３ＭＨｚとなる。
【００９４】
図１０は、図９における共振周波数とＶＳＷＲの関係を示している。
【００９５】
図２におけるユニット６０２〜６０６と図３における６１２〜６１６および６５１と図６における６２２〜６２６および６５２は、任意の形態で組み合わせてもよい。例えば、図２におけるユニット６０４の代わりに図３におけるユニット６１４または図６におけるユニット６２４を用いてもよい。例えば、図３におけるユニット６１６の代わりに図２におけるユニット６０６または図６におけるユニット６２６を用いてもよい。例えば、図２におけるユニット６５１の代わりに図３におけるユニット６５２を用いても、またはその逆であってもよい。
【００９６】
以上説明した実施形態は典型例として挙げたに過ぎず、その変形およびバリエーションは当業者にとって明らかであり、当業者であれば本発明の原理および請求の範囲に記載した発明の範囲を逸脱することなく上述の実施形態の種々の変形を行えることは明らかである。
【００９７】
【発明の効果】
本発明は、前述の特徴によって、広い周波数帯域幅を有する逆Ｆ字型アンテナを実現できるという効果を奏する。
【図面の簡単な説明】
【図１】図１は、本発明の実施形態による、例えばノートブック型パーソナル・コンピュータおよびＰＤＡのようなモバイル情報処理装置の構成の部分切り欠き図を示している。
【図２】図２は、本発明の実施形態による、図１に示された逆Ｆ型アンテナとして用いられる逆Ｆ型アンテナ構成とその関連するコンポーネントとを例示している。
【図３】図３は、本発明の別の実施形態による、図１に示された逆Ｆ型アンテナとして用いられる逆Ｆ型アンテナの構成とその関連するコンポーネントとを例示している。
【図４】図４は、スイッチおよび調整器ユニットのスイッチの位置およびそれぞれ可変キャパシタを含むＬＣ共振回路のインピーダンスの値と、逆Ｆ型アンテナの共振周波数との関係を示す表を示している。
【図５】図５は、図３の実施形態による共振周波数とＶＳＷＲの可変範囲を示している。
【図６】図６は、本発明のさらに別の実施形態による、図１に示された逆Ｆ型アンテナとして用いられる逆Ｆ型アンテナの構成とその関連するコンポーネントとを例示している。
【図７】図７は、スイッチおよび調整器ユニットのスイッチの位置およびそれぞれ可変キャパシタを含むＬＣ共振回路のインピーダンスの値と、逆Ｆ型アンテナの共振周波数との関係を示す表を示している。
【図８】図８は、本発明のさらに別の実施形態による、図１に示された逆Ｆ型アンテナの構成とその関連するコンポーネントとを例示している。
【図９】図９は、図８における逆Ｆ型アンテナの各々の可変長さと共振周波数との関係を示している。
【図１０】図１０は、図９における共振周波数とＶＳＷＲの関係を示している。
【符号の説明】
１０　情報処理装置
５００　逆Ｆ字型アンテナ
５０２、５０６、５０８、５１０　導体エレメント
６０２、６０４、６０６　スイッチ・ユニット
５２０　給電線
４００　プリント板
３０２　情報処理部
３０４　ＲＦチューナ
３０６　制御デコーダ
【図１】
2004096341.tif 000003
【図２】
2004096341.tif 000004
【図３】
2004096341.tif 000005
【図４】
2004096341.tif 000006
【図５】
2004096341.tif 000007
【図６】
2004096341.tif 000008
【図７】
2004096341.tif 000009
【図８】
2004096341.tif 000010
【図９】
2004096341.tif 000011
【図１０】
2004096341.tif 000012